(57)【要約】【課題】ポイント課金とプリペイドの概念を取り入れ、利用者が予め購入又は保有しているポイントの加算・減算を行うことにより、キャリア、テレビ番組のスポンサーを含めて、個々のテレビ局のテレビ番組と視聴者との間で、コミュニケーションを図ることを可能にしたユビキタスポイントシステムを提供すること。【解決手段】テレビ局、視聴者情報端末、テレビ番組のスポンサー、携帯電話事業者間の情報サービスにプリペイド課金システムを導入して構成したことを特徴とするユビキタスポイントシステムである。    【選択図】図６
2006338252.tif 000002
【特許請求の範囲】
【請求項１】
テレビ局、視聴者情報端末、テレビ番組のスポンサー、携帯電話事業者間の情報サービスにプリペイド課金システムを導入して構成したことを特徴とするユビキタスポイントシステム。  
【請求項２】
前記スポンサーは、ポイントを購入して、ＣＭ視聴やアンケート回答に応じて前記視聴者情報端末にポイントサイトを通じてポイントをプレゼントすることを特徴とするユビキタスポイントシステム。
【請求項３】
前記視聴者情報端末が、ＴＣＰ／ＩＰのプロトコルに準拠する携帯電話、ネットワーク接続が可能なゲーム機器、ＰＣ、ＰＤＡ等の情報端末機器であることを特徴とする請求項１に記載のユビキタスポイントシステム。      
【発明の詳細な説明】
【技術分野】
【０００１】
本発明は、携帯電話等の情報端末とテレビ局との間においてコンテンツ情報等の送受に際して、本システムの利用者が予め購入又は保有しているポイントの加算・減算を行うことによって情報サービスを受けることのできるユビキタスポイントシステムに関する。
【背景技術】
【０００２】
従来は、図１に示すように、個々のテレビ局のテレビ番組は、それぞれテレビ局独自のシステムによって視聴者との間でコミュニケーションを成立させており、その伝達手段として携帯メール等が利用されているが、課金形態としては、月額課金、個別課金が散見される程度であり、テレビ局と番組視聴者の２者間での課金ビジネスが大部分であり、ＢｔｏＣに収束しているのが現状で、ビジネスモデルとしては確立していなかった。
【発明の開示】
【発明が解決しようとする課題】
【０００３】
本発明は、上記の問題点に鑑み、ポイント課金とプリペイドの概念を取り入れ、本システムの利用者が予め購入又は保有しているポイントの加算・減算を行うことにより、携帯電話事業者、テレビ番組のスポンサー、個々のテレビ局のテレビ番組、そしてその視聴者との４者を含めた新しいマーケットを創出するとともに、テレビ局、視聴者、テレビ番組のスポンサー、携帯電話事業者の４者（ＢｔｏＢｔｏＣ）を包括した初めての課金システムを確立したユビキタスポイントシステムを提供することにある。
【課題を解決するための手段】
【０００４】
本発明は、上記の課題を解決するために、次のような手段を採用した。
第１の手段は、テレビ局、視聴者情報端末、テレビ番組のスポンサー、携帯電話事業者間の情報サービスにプリペイド課金システムを導入して構成したことを特徴とするユビキタスポイントシステムである。  
【０００５】
第２の手段は、第１の手段において、前記スポンサーは、ポイントを購入して、ＣＭ視聴やアンケート回答に応じて前記視聴者情報端末にポイントサイトを通じてポイントをプレゼントすることを特徴とするユビキタスポイントシステムである。
【０００６】
第３の手段は、第１の手段において、前記視聴者情報端末が、ＴＣＰ／ＩＰのプロトコルに準拠する携帯電話、ネットワーク接続が可能なゲーム機器、ＰＣ、ＰＤＡ等の情報端末機器であることを特徴とするユビキタスポイントシステムである。
【発明の効果】
【０００７】
テレビ局、視聴者情報端末、テレビ番組のスポンサー、携帯電話事業者の４者間において、ポイントを介してこれまでにない新しいマーケットを創出するビジネスモデルを提供することができる。    
【発明を実施するための最良の形態】
【０００８】
図２は、本発明に係るユビキタスポイントシステム（Ｕ・Ｐ・Ｓ）の基本概念を示す図である。
同図に示すように、情報伝達は携帯メールや携帯Ｗｅｂサイトを介して行われ、その際、各テレビ局の各テレビ番組の共通ポイントによる課金（キャリアに従量金システム）システムを利用することにより、局全体に渡る課金モデルとして成立させている。
【０００９】
図３は、ポイントを中心とした全体の流れを示すユビキタスポイントシステムの運用例を示す図である。
はじめに、テレビ番組内でポイントシステムを使ったイベント告知を行い、アンケート回答、クイズ回答、リクエスト応募等のメルアドを表示する（１）。一方、視聴者は携帯からメールによってポイントサイトのＵＲＬを記載した入会メールを受信する。メール内に記載されているＵＲＬをクリックすると、ポイントサイトに入ることができ、会員登録が行われ（３）、入会するとポイントを得ることができる（２）。
ポイントを使って（６）、テレビ番組の番組イベント（１）に応募する（３）と、各種のデジタルノベリティ等がポイントサイトから得られる（４）。
また、その他の携帯サイトやポイントサイトからもポイントを使ってイベントに参加することによってノベリティやポイントを得ることができる（５）、（２）、（４）。
その他の携帯サイトやポイントサイトの有料会員（７）は、ポイントサイトの有料情報を視聴するだけでなく、毎月一定数のポイントを自動的に付加される（２）。また、ポイントがなくなれば、ポイントを別途購入することができる（７）、（２）。
こうして、番組イベントへの応募やポイントサイト等を通じて収集されたユーザー情報、アンケート、モニター情報（３）は、貴重なマーケティングデータとしてスポンサーに提供される（８）、（９）。
また、スポンサーが別途ポイントを購入して、ＣＭ視聴、アンケート回答に会員にポイントをテレビ番組、ポイントサイトを通じてプレゼントすることにより、スポンサーイメージや番組提供効果を高めることができる（９）、（１）、（５）、（３）、（２）、（１０）。
スポンサーや視聴者会員からのポイント購入代金はテレビ局に還元される（１０）。
ここで、（２）、（６）はポイントの流れ、（７）、（９）、（１０）はサイト月額料金・プリペイドポイント代金等の流れ、（１）、（５）はクイズ・アンケート・投票等各種イベントの流れ、（３）、（８）、（９）は視聴者データ、商品モニター等の各種情報の流れ、（４）は壁紙、ゲーム、着歌等の各種デジタルコンテンツの流れを示している。
【００１０】
図４は、本発明に係るユビキタスポイントシステムの収益モデル（基本モデル）を示す図である。
この基本モデルにおいては、ビジネススキームとして、テレビ局、ユビキタスポイントシステム（Ｕ・Ｐ・Ｓ）運営会社、携帯電話事業者、スポンサー等に限られ、情報手段も主として携帯メール、携帯サイトを中心に展開されている。
【００１１】
図５は、本発明に係るユビキタスポイントシステムの収益モデル（応用モデル）を示す図である。
この応用モデルにおいては、ビジネススキームとして、まさにユビキタスとしての情報伝達手段として、テレビ、ＦＭ、新聞、雑誌等既存のあらゆるメディアと連動して、情報手段として、携帯電話、ＰＣ、ゲーム機器等多くのデバイスを対象として課金モデルを展開する。
【００１２】
図６は、本発明に係るユビキタスポイントシステムの概要を示す図である。
本システムは、主として、（１）Ｗｅｂコンテンツ及び情報端末用ユーザーアプリケーション群、（２）コンテンツサーバシステム、（３）ポイント管理システムから構成されている。
（１）Ｗｅｂコンテンツ及び情報端末用ユーザーアプリケーション群
ユーザーの情報端末は、特定の情報端末に依存することなく、ＴＣＰ／ＩＰのプロトコルに準拠する、例えば、携帯電話、ネットワーク接続が可能なゲーム機器、ＰＣ、ＰＤＡ等の情報端末機器と接続可能であり、各情報端末にダウンロードして本ポイントシステム等のユビキタスポイントシステムの各種サービスを利用することを可能にするソフトウェア群を用意する。ユーザーアプリケーションは、Ｊａｖａ（登録商標）、Ｃ、Ｂｒｅｗ、Ｈｔｍｌ、Ｆｌａｓｈ、Ｘｍｌ等の各種情報端末に最適のプログラム言語を用いて製作される。
これによって、情報端末からポイントサイトへの視聴者会員登録、パスワード設定等の入会処理、サイト会員のポイント管理が行われる。さらに、視聴者の情報端末において時間に応じて自動的に放送中の番組を選択して各種の情報の送受信が行われる。また、テレビ番組情報の送受信（アンケート回答、メッセージ、クイズ・懸賞等の応募）やユーザーポイントの購入、消費、取得の各インターフェイス、残高表示、履歴表示等を行うことができる。
（２）コンテンツサーバシステム
このシステムは、ポイントサイトＷｅｂコンテンツを提供し、各種テレビ番組情報と会員視聴者からの情報（クイズ回答、アンケート、リクエスト等）を受信し、情報整理、ポイント管理を行う。さらに、番組担当者がイベント情報（クイズ出題、アンケート作成等）をＷｅｂ上で編集、入出力手続きを行う。またポイント処理においては、ユーザー、番組、スポンサーそれぞれの持つポイントの増減処理をポイント管理システムへ通知する役割を持つ。
これによって、番組情報、視聴者情報ＤＢによる各情報の送受機能、番組情報編集機能・番組ポイント表示機能、ポイント管理サーバへのポイント処理指示機能を持たせることができる。
（３）ポイント管理システム
このシステムは、本発明のユビキタスポイントシステムの中核をなすものであり、視聴者が保有するポイントやテレビ番組及びスポンサーが保有するポイント管理を行う。
視聴者が関連する機能としては、ポイント管理処理（購入履歴管理、月単位の履歴管理）がある。具体的には、ＮＴＴドコモ等の携帯電話事業者の従量課金システムを利用したポイント課金（チャージ機能）、ポイント増減処理、現有ポイントの表示、購入履歴、消費履歴、入手履歴の表示を行う。
また、スポンサー・ポイントに関連する機能としては、視聴者プレゼント用のポイント管理がある。具体的には、ポイント購入処理、提供番組へのポイント供与処理、スポンサーから番組又は視聴者へのポイント移行がある。
【図面の簡単な説明】
【００１３】
【図１】従来技術に係る個々のテレビ局と視聴者との間でコミュニケーションを図ったシステムを示す図である。
【図２】本発明に係るユビキタスポイントシステム（Ｕ・Ｐ・Ｓ）の基本概念を示す図である。
【図３】ポイントを中心とした全体の流れを示すユビキタスポイントシステムの運用例を示す図である。
【図４】本発明に係るユビキタスポイントシステムの収益モデル（基本モデル）を示す図である。
【図５】本発明に係るユビキタスポイントシステムの収益モデル（応用モデル）を示す図である。
【図６】本発明に係るユビキタスポイントシステムの概要を示す図である。
【図１】
2006338252.tif 000003
【図２】
2006338252.tif 000004
【図３】
2006338252.tif 000005
【図４】
2006338252.tif 000006
【図５】
2006338252.tif 000007
【図６】
2006338252.tif 000008